(57)【要約】【課題】ゴミ収集袋を装着することにより、ちりとりを介さずゴミ収集袋にゴミを容易に収集しうるゴミ収集具を提供すること。【解決手段】載置面上に置かれ、ゴミ収集袋を固定しうる枠体部と、前記枠体部にゴミ収集袋の開口部を着脱可能に接合しうるクリップ部材とを備えたことを特徴とする。【選択図】図１
0003141592.tif 000002
【実用新案登録請求の範囲】
【請求項１】
載置面上に置かれ、ゴミ収集袋を固定しうる枠体部と、前記枠体部にゴミ収集袋の開口部を着脱可能に接合しうるクリップ部材とを備えたことを特徴とするゴミ収集具。
【請求項２】
前記枠体部は板材により形成され、側面直線状の底部と、前記底部に連設された側面円弧状の本体部とにより構成され、前記底部と前記本体部の幅方向端部には、ゴミ収集袋を前記クリップ部材により前記枠体部へ固定しうる突条部が形成されていることを特徴とする請求項１記載のゴミ収集具。
【請求項３】
前記クリップ部材は、一端部が固定された可撓性を有する２枚の板材により構成され、一方の板材には、他方の板材との間で前記突条部を挟持しうる係止部が形成されていることを特徴とする請求項１又は２記載のゴミ収集具。
【請求項４】
前記係止部は、前記突条部を包持しうる突部により形成され、前記クリップ部材を前記枠体部に固定する場合には、非固定側端部側から前記突条部を挿入させて前記突条部を前記係止部に固定させることを特徴とする請求項３記載のゴミ収集具。
【請求項５】
前記突条部は前記枠体部の前記底部と前記本体部の全域に亘って形成され、前記ゴミ収集袋は複数のクリップ部材により前記枠体部に固定されることを特徴とする請求項２〜４のいずれか１項に記載のゴミ収集具。
【請求項６】
前記底部には、載置面上のゴミを前記底部を介してゴミ収集袋内に導入しうるステップ部材が設けられていることを特徴とする請求項２〜５のいずれか１項に記載のゴミ収集具。
【請求項７】
前記枠体部の上端部には把持部が設けられていることを特徴とする請求項１〜６のいずれか１項に記載のゴミ収集具。
【考案の詳細な説明】
【技術分野】
【０００１】
本考案は、ゴミ収集具に係り、特に、ゴミ収集袋を装着してゴミ収集袋にゴミを収集することができるゴミ収集具に関する。
【背景技術】
【０００２】
従来から、床面上のゴミを収集する場合には、ゴミ収集袋に直接ゴミを収集することが困難であることから、ほうきを用いてゴミをちり取りに掃き入れることにより収集して、その後、ちり取りに収集されたゴミをゴミ収集袋に移しかえていた。
しかしながら、ちり取りにゴミを移し変える際に、ゴミ収集袋からゴミがこぼれ落ちてしまうという問題が存していた。
また、ちり取りに収集されたゴミをゴミ収集袋に移しかえるという作業は煩雑であった。
従って、ゴミを収集する際に、ちりとりを介さず容易にゴミ収集袋にゴミを収集できれば便利である。
【考案の開示】
【考案が解決しようとする課題】
【０００３】
本考案は、ゴミ収集袋を装着することにより、ちりとりを介さずゴミ収集袋にゴミを容易に収集しうるゴミ収集具を提供することにある。
【課題を解決するための手段】
【０００４】
上記課題を解決するために、請求項１記載の考案にあっては、載置面上に置かれ、ゴミ収集袋を固定しうる枠体部と、前記枠体部にゴミ収集袋の開口部を着脱可能に接合しうるクリップ部材とを備えたことを特徴とする。
従って、枠体部にクリップ部材を固定してゴミ収集袋の開口部を装着することにより、載置面上のゴミをゴミ収集袋内に収集できる。
また、枠体部に固定されたゴミ収集袋を前記クリップ部材を取り外すことにより枠体から取り外すことができる。
【０００５】
請求項２記載の考案にあっては、前記枠体部は板材により形成され、側面直線状の底部と、前記底部に連設された側面円弧状の本体部とにより構成され、前記底部と前記本体部の幅方向端部には、ゴミ収集袋を前記クリップ部材により前記枠体部へ固定しうる突条部が形成されていることを特徴とする。
従って、前記底部と前記本体部の幅方向端部には、突条部が形成されているので、ゴミ収集袋を前記クリップ部材により前記枠体部に固定できる。
【０００６】
請求項３記載の考案にあっては、前記クリップ部材は、一端部が固定された可撓性を有する２枚の板材により構成され、一方の板材には、他方の板材との間で前記突条部を挟持しうる係止部が形成されていることを特徴とする。
従って、前記クリップ部材は、一端部が固定された可撓性を有する２枚の板材により構成され、一方の板材には、他方の板材との間で前記突条部を挟持しうる係止部が形成されているので、ゴミ収集袋をクリップ部材の一方の板材の係止部と他方の板材との間で前記突条部を挟持させて前記枠体部に固定できる。
【０００７】
請求項４記載の考案にあっては、前記係止部は、前記突条部を包持しうる突部により形成され、前記クリップ部材を前記枠体部に固定する場合には、非固定側端部側から前記突条部を挿入させて前記突条部を前記係止部に固定させることを特徴とする。
従って、前記クリップ部材の非固定側端部側から前記突条部を挿入させることにより、前記クリップ部材の突部に前記突条部を包持させて、ゴミ収集袋をクリップ部材の突部により前記枠体部に固定できる。
【０００８】
請求項５記載の考案にあっては、前記突条部は前記枠体部の前記底部と前記本体部の全域に亘って形成され、前記ゴミ収集袋は複数のクリップ部材により前記枠体部に固定されることを特徴とする。
従って、前記枠体の前記突条部に複数のクリップ部材を固定させることにより、ゴミ収集袋を固定できる。
【０００９】
請求項６記載の考案にあっては、前記底部には、載置面上のゴミを前記底部を介してゴミ収集袋内に導入しうるステップ部材が設けられていることを特徴とする。
従って、載置面上のゴミをステップ部材を介してゴミ収集袋内に容易に導入できる。
【００１０】
請求項７記載の考案にあっては、前記枠体部の上端部には把持部が設けられていることを特徴とする。
【考案の効果】
【００１１】
請求項１記載の考案にあっては、枠体部にクリップ部材を固定してゴミ収集袋の開口部を装着することにより、載置面上のゴミをゴミ収集袋内に収集でき、枠体部に固定されたゴミ収集袋を前記クリップ部材を取り外すことにより枠体から取り外すことができるので、ちりとりを介さずゴミ収集袋にゴミを容易に収集しうるゴミ収集具を提供することができる。
【００１２】
請求項２記載の考案にあっては、前記底部と前記本体部の幅方向端部には、突条部が形成されており、ゴミ収集袋をクリップ部材により前記枠体部に固定できるので、ちりとりを介さずゴミ収集袋にゴミを容易に収集しうるゴミ収集具を提供することができる。
【００１３】
請求項３記載の考案にあっては、前記クリップ部材は、一端部が固定された可撓性を有する２枚の板材により構成され、一方の板材には、他方の板材との間で前記突条部を挟持しうる係止部が形成されており、ゴミ収集袋をクリップ部材の一方の板材の係止部と他方の板材のとの間で前記突条部に挟持させて前記枠体部に固定できるので、ちりとりを介さずゴミ収集袋にゴミを容易に収集しうるゴミ収集具を提供することができる。
【００１４】
請求項４記載の考案にあっては、前記クリップ部材の非固定側端部側から前記突条部を挿入させることにより、前記クリップ部材の突部に前記突条部を包持させて、ゴミ収集袋をクリップ部材の突部により前記枠体部に固定できるので、ちりとりを介さずゴミ収集袋にゴミを容易に収集しうるゴミ収集具を提供することができる。
【００１５】
請求項５記載の考案にあっては、前記枠体の前記突条部に複数のクリップ部材を固定させることにより安定した状態でゴミ収集袋を固定できるので、ゴミ収集袋にゴミを安定した状態で容易に収集しうるゴミ収集具を提供することができる。
【００１６】
請求項６記載の考案にあっては、載置面上のゴミをステップ部材を介してゴミ収集袋内に容易に導入できるので、ちりとりを介さずゴミ収集袋にゴミを容易に収集しうるゴミ収集具を提供することができる。
【００１７】
請求項７記載の考案にあっては、把持部を把持することにより容易に移動させることができる。
【考案を実施するための最良の形態】
【００１８】
以下、図面を用いて本考案の実施の形態について説明する。
図１又は図２に示すように、本実施の形態に係るゴミ収納具１０は、載置面Ａ上に置かれ、ゴミ収集袋Ｂを固定しうる枠体部１１と、前記枠体部１１にゴミ収集袋Ｂの開口部を着脱可能に接合しうるクリップ部材１２とを備えている。
また、前記枠体部１１は板材により形成され、側面直線状の底部１３と、前記底部１３に連設された側面円弧状の本体部１４とにより構成され、前記底部１３と前記本体部１４の幅方向端部３６には、ゴミ収集袋Ｂを前記クリップ部材１２により前記枠体部１１へ固定しうる突条部１５ａが形成されている。
【００１９】
また、図３に示すように、前記クリップ部材１２は、一端部２７が固定された可撓性を有する２枚の板材１６，１７により構成され、一方の板材１６には、他方の板材１７との間で前記突条部１５ａを挟持しうる係止部１８が形成されている。
前記係止部１８は、前記突条部１５aを包持しうる突部１９により形成され、前記クリップ部材１２を前記枠体部１１に固定する場合には、非固定側端部２０側から前記突条部１５ａを挿入させて前記突条部１５ａを前記係止部１８に固定させる。
また、図１に示すように、前記突条部１５ａは前記枠体部１１の前記底部１３と前記本体部１４の全域に亘って形成され、図２に示すように、前記ゴミ収集袋Ｂは複数のクリップ部材１２により前記枠体部１４に固定される。
また、前記底部１３には、載置面上Ａのゴミを前記底部１３を介してゴミ収集袋Ｂ内に導入しうるステップ部材２１が設けられている。
また、前記枠体部１４の上端部には把持部２２が設けられている。
【実施例】
【００２０】
以下に、図面を用いて本実施例について詳細を説明する。
図１又は２に示すように、本実施例に係る簡易ゴミ収納器１０は、載置面Ａ上に置かれ、ゴミ収集袋Ｂを固定しうる枠体部１１と、前記枠体部１１にゴミ収集袋Ｂの開口部を着脱可能に接合しうる７つのクリップ部材１２と、前記枠体部１４の上端部に設けられた把持部２２とを有している。
また、前記枠体部１４は、アルミニウム合金よりなる板材により形成され、所定の幅寸法を有する平面からなる側面直線状の底部１３と、前記底部１３に連設された前記底部１３と同一幅寸法を有する周面を有する側面円弧状の本体部１４とにより構成され、前記底部１３と前記本体部１４の幅方向一端部３６には、ゴミ収集袋Ｂを前記クリップ部材１２により前記枠体部１４へ固定しうる略円筒状の突条部１５ａが全域に亘って形成され、幅方向他端部３７には、略円筒状の突条部１５ｂが全域に亘って形成されている。
【００２１】
また、前記底部１３の上面には、ゴミ収集袋Ｂ内にゴミを容易に導入しうるステップ部材２１が固定されている。  
また、前記ステップ部材２１は、薄板材により形成され、前記底部１３の上面部に固定される平面部２３と、前記平面部２３から前記底部１３の幅方向一端部３６側から外方に延設された傾斜面部２４とにより形成され、載置面Ａ上のゴミを前記底部１３を介してゴミ収集袋Ｂ内に導入しうるように、前記底部１３の上面部の長さ方向両端部を除いた略全域を被覆して５つの固定部材３１，３１，３１，３１，３１により前記底部１３に固定されている。
また、上記傾斜面部２４は、折り曲げ線２５，２６を介して載置面Ａ方向に緩やかに傾斜させることにより折り曲げられ、先端部が長さ方向全域に亘って載置面Ａ上に当接するように形成されている。
【００２２】
また、図３に示すように、前記クリップ部材１２は、一端部２７が固定部材３０により固定された可撓性を有する略同一形状の２枚の略長方形状の合成樹脂素材からなる板材１６，１７が重ね合わせられることにより構成されている。
また、一方の板材１６には、他方の板材１７との間で前記突条部１５ａを挟持して前記突条部１５ａを包持しうる突部１９により形成された係止部１８が形成され、前記クリップ部材１２の被非固定側端部２０には、前記クリップ部材の２枚の板材１６，１７が重ね合わされた当接面に対して夫々外方へ傾斜して前記突条部１５ａを挿入しうる挿入傾斜面部２８，２９が夫々連設されている。
また、前記突部１９は、前記一方の板材１６の長さ方向の中間位置に幅方向全域に亘って形成されると共に前記突条部１５ａを包持しうるように外方へ突出する側面Ｕ字状に形成されることにより、前記クリップ部材１２を前記枠体部１１に固定する場合には、非固定側端部２０側から前記突条部１５ａを挿入させて前記突条部１５ａを前記係止部１８に固定させるように構成されている。
また、図１に示すように、７つのクリップ部材１２は、夫々、一端部２７が紐部材３１の一端部３２に固定され、紐部材３１の他端部３３が前記底部１３と前記本体部１４の幅方向他端部３７の全域に亘って所定間隔寸法をおいて固定されることにより、前記枠体部１１に固定されている。
また、前記紐部材３１は、他端部３３が前記底部１３と前記本体部１４の幅方向他端部３７に固定された場合に、一端部３２に固定されたクリップ部材１２の係止部１８が前記底部１３と前記本体部１４の幅方向一端部３６に形成された突条部１５ａを係止しうる長さ寸法に形成されている。
【００２３】
また、図１に示すように、前記把持部２２は、円柱状の木材からなる棒部材により形成された取っ手部３４と、側面コ字状の板材により形成された取り付け部３５とにより構成されている。
また、前記取っ手部３４の両端部は、前記取り付け部３５の開口側端部の内側面に固定され、前記取り付け部３５の閉口側端面部は、前記枠体部１１の上端部に固定されている。
【００２４】
以下、本実施例の作用について説明する。
図２に示すように、本実施例に係るゴミ収集具１０にゴミ収集袋Ｂを装着する場合には、まず、図１に示す本実施例に係るゴミ収集具１０の枠体部１１の幅方向他端部３７側からゴミ収集袋Ｂの開口端部を枠体部１１の内部に挿入する。
その後、ゴミ収集袋Ｂを開口させてから、図２に示すように、ゴミ収集袋Ｂの開口端部を全域に亘って突条部１５ａに沿うように配置して、前記枠体部１１の幅方向一端部３６側の突条部１５ａをゴミ収集袋Ｂの開口部が被覆するように外側に折り返す。
【００２５】
その後、図１に示すようなクリップ部材１２の一端部２７を把持して、７つのクリップ部材１２を順次、図４（ａ）に示すように、クリップ部材１２の突部１９を枠体部１１の外方に配置させると共に枠体部１１に対してクリップ部材１２が一直線状になるように挿入傾斜面部２８，２９を突条部１５ａに当接するように挿入して、前記クリップ部材１２を前記枠体部１１方向Ｃへ移動させて、前記クリップ部材１２の非固定側端部２０側から前記突条部１５ａを挿入させていく。
この場合、前記クリップ部材１２の被非固定側端部２０には前記クリップ部材１２の２枚の板材１６，１７が当接している当接面に対して夫々外方へ傾斜する前記突条部１５ａを挿入しうる挿入傾斜面部２８，２９が形成されているので、前記クリップ部材１２の被非固定側端部２０に突条部１５ａを容易に挿入させることができる。
そして、図４（ｂ）に示すように、前記クリップ部材１２を前記クリップ部材１２と前記枠体部１１とが一直線状になる配置を維持させた状態で前記枠体部１１方向Ｃへ移動させていくと、前記クリップ部材１２は、可撓性を有する２枚の板材１６，１７により構成されると共に一端部２７が固定されているので、図４（ｂ）に示すように、２枚の板材１６，１７の非固定側端部２０は前記枠体部１１に対して夫々外方方向へ撓む。
そして、さらに移動させることにより図４（ｃ）に示すように、前記突条部１５ａが前記クリップ部材１２の突部１９に係止されるまで枠体部１１方向Ｃへ移動させていくと、外方方向へ撓んでいた２枚の板材１６，１７は直線状に回復して、一方の板材１６の突部１９と他方の板材１７との間でゴミ収集袋に被覆された前記突条部１５ａを挟持することにより、ゴミ収集袋Ｂは前記枠体部１１に固定される。
このように、クリップ部材１２を枠体部１１に対して一直線状になるように配置して挿入することにより、前記クリップ部材１２を前記枠体部１１に容易に固定できるので、ゴミ収集袋Ｂの開口部を前記枠体部１１に容易に装着することができる。
そして、図２に示すように、７つのクリップ部材１２を順次枠体部１１に固定することにより、ゴミ収集袋Ｂを枠体部１１に固定する。
この場合、７つのクリップ部材１２は、夫々、一端部２７が紐部材３１の一端部３２に固定され、紐部材３１の他端部３３が前記底部１３と前記本体部１４の幅方向他端部３７の全域に亘って所定間隔寸法をおいて固定されていることから、前記枠体部１１の全域に亘って所定間隔寸法をおいて前記クリップ部材１２によりゴミ収集袋を固定できるので、ゴミ収集袋Ｂを安定した状態で前記枠体部１１に装着することができる。
【００２６】
そして、ゴミ収集袋Ｂが装着されたゴミ収集具１０の上端部に設けられた把持部２２を把持して、前記ゴミ収集具１０を適宜移動させながら、載置面Ａ上のゴミを収集する。
この場合、ステップ部材２１が設けられていることから、細かいゴミを収集する場合であっても、載置面Ａ上のゴミを枠体部１１に装着されたゴミ収集袋Ｂに容易に掃き入れることができる。
また、枠体部１１の上端部には把持部２２が設けられているので、ゴミ収集具１０を適宜容易に移動させて、載置面Ａ上に散在するゴミを容易にゴミ収集袋Ｂに掃き入れることができる。
【００２７】
そして、ゴミを収集した後に、図２に示すように固定されたゴミ収集袋Ｂを、前記枠体部１１に固定された７つのクリップ部材１２を夫々取り外すことにより取り外す。
このように前記クリップ部材１２を枠体部１１を取り外す場合には、図５（ａ）及び（ｂ）に示すように、クリップ部材１２の一端部２７に枠体部１１に対して直角方向であると共に前記枠体部１１の外方方向であるＤ方向に力を作用させる。
この場合、図５（ａ）及び（ｂ）に示すように、前記クリップ部材１２は、一端部２７が固定されると共に可撓性を有し、枠体部１１の突条部１５ａはクリップ部材１２の一方の板材１６の突部１９に係止され、前記クリップ部材１２の一方の板材１６は、非固定側端部２０においてゴミ収集袋Ｂを介して枠体部１１に当接していることから、方向Ｄに力を作用させることにより、図５（ｃ）に示すように、前記突部１９が前記突条部１５ａに係止されながら前記クリップ部材１２は前記突条部１５ａを支軸として回動することにより、前記一方の板材１６は前記一方の板材１６の内方方向へ‘くの字’状に撓む。
その後、図５（ｄ）に示すように、前記突条部１５ａから前記クリップ部材１２の突部１９の係止が外れるまで、クリップ部材１２の一端部２７に力を作用させていく。
そして、前記クリップ部材１２は、一方の板材１６と他方の板材１７とが一端部２７が固定されると共に可撓性を有しているので、一方の板材１６と他方の板材１７とが夫々当接するような一直線の状態へ復帰するように、前記非固定側端部２０側から前記突条部１５ａを押し出すような力が作用することにより、図５（ｅ）に示すように、前記クリップ部材１２は前記枠体部１１から自然に押し出される。
このように、図２に示すように固定された前記クリップ部材１２を順次、容易に枠体部１１から取り外すことができる。
その結果、前記枠体部１１からゴミを収集したゴミ収集袋Ｂを容易に取り外すことができる。
そして、ゴミ収集具１０から取り外したゴミ収集袋Ｂの開口部を閉じることにより、ちりとりを介さずゴミ収集袋Ｂにゴミを容易に収集することができる。
【産業上の利用可能性】
【００２８】
本考案は、ゴミ収集具係り、ゴミ収集袋を装着してゴミ収集袋にゴミを収集することができるゴミ収集具に適用することができる。
【図面の簡単な説明】
【００２９】
【図１】本考案に係るゴミ収集具の一実施の形態を示す斜視図である。
【図２】本考案に係るゴミ収集具にゴミ収集袋を装着した場合の一実施の形態を示す斜視図である。
【図３】本考案に係るゴミ収集具のクリップ部材の一実施の形態を示す斜視図である。
【図４】（ａ）〜（ｃ）は、本考案に係るゴミ収集具のクリップ部材を枠体部に装着する場合の一実施の形態を示す断面図である。
【図５】（ａ）〜（ｄ）は、本考案に係るゴミ収集具のクリップ部材を枠体部から取り外す場合の一実施の形態を示す断面図である。
【符号の説明】
【００３０】
１０    ゴミ収集具
１１    枠体部
１２    クリップ部材
１３    底部
１４    本体部
１５ａ  突条部
１５ｂ  突条部
１６    一方の板材
１７    他方の板材
１８    係止部
１９    突部
２０    非固定側端部
２１    ステップ部材
２２    把持部
２３    平面部
２４    傾斜面部
２５    折り曲げ線
２６    折り曲げ線
２７    クリップ部材の一端部
２８    挿入傾斜面部
２９    挿入傾斜面部
３０    固定部材
３１    紐部材
３２    紐部部材の一端部
３３    紐部材の他端部
３４    取っ手部
３５    取り付け部
３６    枠体部の幅方向一端部
３７    枠体部の幅方向他端部
Ａ      載置面
Ｂ      ゴミ収集袋
Ｃ      固定時におけるクリップ部材の移動方向
Ｄ      取り外し時に力を作用させる方向
【図１】
0003141592.tif 000003
【図２】
0003141592.tif 000004
【図３】
0003141592.tif 000005
【図４】
0003141592.tif 000006
【図５】
0003141592.tif 000007